Podtech/llm-jp-corpus-v4-ja_patent huggingface dataset:
(57)【特許請求の範囲】
【請求項１】
ステータコアの外周面にキー溝を縦設し、モータフレームの反負荷側端縁には内周面から導出された窩溝を横設し、キー溝に嵌挿されるキーの後端部を上記窩溝内へ係止する外向きの係止爪に形成し、キー溝の後端部と窩溝の内端部とが直交状に連なるようにステータコアをモーターフレーム内へ圧入し、キー溝に嵌挿されたキーの後端部の係止爪を窩溝内へ係止させ、モータフレームの反負荷側端縁に蓋装されるヘッドカバーの接合縁に上記係止爪の後面が当接しないように隙間を設けて対向させたことを特徴とする、水中モータにおけるステータコアの回り止め構造。
【発明の詳細な説明】
【０００１】
【発明の技術分野】
本発明は、水中モータにおける、ステータコアの回り止め構造に関するものである。
【０００２】
【従来技術とその問題点】
モータ駆動時の反力によりステータコアが回転することを防止する手段として、従来は例えば図７に示すよう、モータフレーム１１の外周面からドリル穿孔された貫通孔Hより、ステータコア１２内へ達する有底孔Ｓ１へピン１５を打込んで、その後部に溶接を施したり、防水のためのシール剤を充填している。また、図８に示すよう、モータフレーム１１の外周面から穿設された貫通孔Ｈより、ステータコア１２内へ達する有底ねじ孔Ｓ２へゴムリングを介してボルト２５を螺装させることもある。
【０００３】
しかしこのような構造では加工および組立作業に手数が掛って非能率であるばかりでなく、水中で使用される回転機器の原動機とされる水中モータにおいては、貫通孔Ｈからの浸水に不安が残る。
【０００４】
【発明の目的】
本発明の目的は、モータフレーム外周面から貫通孔を穿設することを必要とせず、作業性と防水性に優れた水中モータにおけるステータコアの回り止め構造を提供することにある。
【０００５】
【発明の構成】
本発明に係る水中モータにおけるステータコアの回り止め構造では、ステータコアの外周面にキー溝を縦設し、モータフレームの反負荷側端縁には内周面から導出された窩溝を横設し、キー溝に嵌挿されるキーの後端部を上記窩溝内へ係止する外向きの係止爪に形成し、キー溝の後端部と窩溝の内端部とが直交状に連なるようにステータコアをモータフレーム内へ圧入し、キー溝に嵌挿されたキーの後端部の係止爪を窩溝内へ係止させ、モーターフレームの反負荷側端縁に蓋装されるヘッドカバーの接合縁に上記係止爪の後面が当接しないように隙間を設けて対向させた。
【０００６】
【実施例】
以下実施例の図１ないし図６により説明をする。
【０００７】
１はモータフレーム、３はモータフレーム１の内周面と嵌合するステータコアであり、その外周面にはキー溝２が縦設されている。４はキー溝２に嵌挿されるキーであり、その後端部が後記窩溝６内へ係止する外向きの係止爪５に形成されている。モータフレーム１の反負荷側端縁には内周面から導出された窩溝６が横設されている。そして該窩溝６の内端部と上記キー溝２の後端部とが直交状に連なるように、ステータスコア３をモータフレーム１内へ圧入し、キー溝２に嵌挿されたキー４の後端部の係止爪５を窩溝６内へ係止させ、ヘッドカバー７の接合縁に係止爪５の後端面が当接しないように隙間を設けて対向させた態様で、ボルト締め等によりモータフレーム１の反負荷側端縁と結合させる。
【０００８】
【発明の効果】
本発明構造の利点を列挙すれば次の通りである。
【０００９】
従来のようにモータフレーム外周面からの貫通孔の穿設を必要としないため、作業性および防水性に優れている。
【００１０】
ステータコアの圧入後にキーの嵌挿を行えるため、テーパーキーを用いるなどで、ステータコアの回り止めと同時にその抜け防止効果を伴うことになる。
【００１１】
水中モータの組立時にはキー後端面の係止爪後面が当接しないように隙間を設けて、ヘッドカバーの接合縁に対向させることで防水性を確保しながらキー脱落防止効果を生じる。
【００１２】
ステータコアの回り止めの係止爪を係止させる窩溝は、極短小なもので足りるため、加工性は良好である。
【００１３】
ヘッドカバーを取外した状態でキーの嵌挿状態を簡単に視認でき且つキーおよびステータコアの装脱も容易で、メンテナンス性に優れている。
【図面の簡単な説明】
【図１】  本発明の回り止め構造を備えた水中モータの要部縦断側面図である。
【図２】  図１のＡ−Ａ線における横断面図である。
【図３】  図１のＢ−Ｂ線における横断面図である。
【図４】  図１におけるモータフレーム部分の要部縦断側面図である。
【図５】  図１におけるステータコア部分の要部縦断側面図である。
【図６】  図１におけるキーの側面図である。
【図７】  従来の回り止め構造を施した水中モータの要部縦断側面図であって、モータフレーム外周面から穿孔された貫通孔よりステータコア内へ達するピンを打込んだ事例を示す。
【図８】  従来の回り止め構造を施した水中モータの要部縦断側面図であって、モータフレーム外周面から穿設された貫通孔よりステータコア内へボルトを螺装させた事例を示す。
【符号の説明】
１      モータフレーム
２      キー溝
３      ステータコア
４      キー
５      係止爪
６      窩溝
７      ヘッドカバー
【図１】
0004864229.tif 000002
【図２】
0004864229.tif 000003
【図３】
0004864229.tif 000004
【図４】
0004864229.tif 000005
【図５】
0004864229.tif 000006
【図６】
0004864229.tif 000007
【図７】
0004864229.tif 000008
【図８】
0004864229.tif 000009
(57)【特許請求の範囲】
【請求項１】
海岸の波打ち際の近くで、沖から岸に向かって押し寄せては引き返す周期的な水平方向の動きをする波の運動のうち、沖から岸に向かって流れる波を捉えて発電を行う発電装置であって以下の構造を備えた装置。
この発電装置は沖側にある集波板と、岸側にあって集波板と結合した発電タブから構成される。
集波板は沖側から見た断面がカタカナのコの字を右に９０°回転させた形状を持っており、上空から見ると、沖側が長く、岸側が短い台形の形をしている。
発電タブは、上空から見ると岸側が丸く、沖側が直線の流線型をしており、沖側の直線部分の長さは集波板の岸側の上辺よりも長く、発電タブの底辺に集波板の上辺を結合させた形になっている。
発電タブの底辺の、集波板を挟んだ両脇には、水車を備えた発電機が取り付けられている。
発電タブには蓋がしてあり、集波板から発電タブに入ってくる水流、即ち沖から岸に向かって寄せてくる一方向の水流を発電タブ内で方向転換させ、発電タブ内に設置した前記の発電機を回転させ発電する構造になっている。
【請求項２】
請求項１で示した発電機に、モーターの機能を付加し、外部電力によりこのモーターを回転させ、常に発電タブ側から、外側への水の流れを生じさせることで、周期的な往復運動をする波打ち際に設置した場合に於いて、装置内の水の流れを平滑化し、発電をより高効率で行う構造。
【請求項３】
請求項１で示した発電タブの蓋の部分に太陽電池を設置し、請求項２で示した水流を平滑化するモーターに電気を供給する構造および、蓋の上部に設置した回転数モニターに電気を供給し、発電機の回転数を計測する構造。
【請求項４】
請求項１で示した発電タブ内部に整流板を設置し、発電タブに入ってきた水の流れを、弱めることなく方向転換させ、発電機へと送る構造。
【発明の詳細な説明】
【技術分野】
【０００１】
本発明は電力を生み出す発電方法の分野において、主に海上の波の力を用いて発電を行う波力発電に適用されるものである。
【発明の概要】
【０００２】
波の力を用いた発電方法にはいくつかの種類があるが、基本的には、波の上下動の動きによって引き起こされるフロートや羽、シリンダーなどの動きから運動エネルギーを得て、発電を行うものである。
本発明は、装置内に水平方向の波の動き、即ち運動エネルギーを効率よく取込み、その流れによって発電機を廻し、発電する装置である。
【発明の効果】
【０００３】
波力発電においては、海岸に押し寄せる波の上部の大きな運動エネルギーをより効率的に集め、発電装置に利用できるので、従来の波力発電方法に比較して、より安定した電力を得ることができる。
また、小型で高い剛性を持った装置であるので、設置する場所を容易に移動させ、発電装置の海面に対する相対的な高さや角度を様々に変更させながら最も効率良い設置条件に設置することができる。
【発明が解決しようとする課題】
【０００４】
本発明では、海上の波を効率良く狭い範囲に集めて、高い運動エネルギーを発生させるための集波板と、その集波板によって引き起こされた強い水の流れ、即ち運動エネルギーを受けて発電する発電機を用いて、十分に活用されていない海の波から安定した起電力を得る発電装置である。
その中で本発明が解決しようとする課題は、海岸付近に於いて、波の動きが上下方向から水平方向の周期的な水の流れに転換したところで、沖合から岸に向かって進んでくる波を取込み、その水流の持つ運動エネルギーで効率良く発電をする構造の発電装置であり、研究開発に適用すると共に、１キロから数十キロワット程度の小規模の発電を行うものである。
【課題を解決するための手段】
【０００５】
図２に示すように、集波板１を水車を備えた発電機４を持った発電タブ２に取り付け、蓋３で蓋をする。発電機４にはモーターの機能があり、このモーターに蓋３の上部に設置した太陽電池６、若しくはそれ以外の電源から電気を供給し、水車が、常に海水をタブ内部から後方の外部に押し出す流れを作る。
水車には回転計が取り付けられており、ここで計測した回転数を蓋３の上部に設置した表示板７等で表示する。
【発明を実施するための形態】
【０００６】
海岸部に発電装置を設置する。沖合より到達した波は、集波板１によって成型され、水平方向に移動して発電タブ２の中に流れ込む。その流れを発電タブ２の中で方向転換し、発電タブ２の下部に設置した発電機４に当て、水車を回転させて起電力を得る。
【図面の簡単な説明】
【０００７】
【図１】発電装置の外観と海水の流れる方向を示す図。
【図２】発電装置の主要構成部品である、集波板、発電タブ、蓋の３つに分解し、付属部品と共に描いた図。
【図３】集波板及び発電タブ内での水の流れを示す図。
【符号の説明】
【０００８】
１    集波板
２    発電タブ
３    蓋
４    発電機
５    整流板
６    太陽電池
７    表示板
【要約】      （修正有）【課題】波力発電は、波の大小の変化が天気や風よりも穏やかで、且つ、予測し易いこと、２４時間発電可能なこと、外洋に面した海岸では波の小さい時はあっても、”無波”という状態が存在せず、最低限の波を確保できることなど、安定した自然エネルギーと言える。しかし、現在まで波のエネルギーを効率良く取り出す方法の発明はあまり進んでおらず、小規模で効率のよい発電装置を提供する。【解決手段】外洋に面して、５０ｃｍ以上の高さの波が押し寄せるような海岸に設置して、波を効率良く集め、そのエネルギーによって発電機を回し、発電する方法を考案した。集波板と発電タブからなる小型で高剛性を有し、移動と設置が簡易な発電装置であり、数十キロワット／時以下の小規模な発電を担うと共に、より最適な設置場所、設置方法、保守性能と耐久性の研究開発を行うのにも適している。【選択図】図１【図１】
0005074630.tif 000002
【図２】
0005074630.tif 000003
【図３】
0005074630.tif 000004
(57)【特許請求の範囲】
【請求項１】
四角形筒の前板(３)の上縁から袋折りする前内沿い板(７)を介して床板(２)を延設し、該四角形筒の前板(３)とそれに対面する背板(４)についてはそれぞれ上部から下部まで同幅の一枚板とし、他の対面する二面の側板(５)の下部を上部と切り離し、切り離された下部中央を天地に貫く折込線(６)を谷折りして該下部を内側にV字折りして形成した折込板(１)によって、床板(２)を下から支えて補強する事を特徴とした折込板補強陳列台。
【発明の詳細な説明】
【０００１】
【発明の属する技術分野】
本発明は、床板を補強した紙製の陳列台に関する。
【０００２】
【従来の技術】
従来の紙製陳列台は、例えば特開平１０−２７６８７５号で示す様に、内側に折り込んで噛合せ縁１１で噛合せた正面板９と１０によって、床板１を下から支え、床板１の先縁に延設した背フラップ２を背板３に切り込んだコ字溝４に差し込んで固定する構造のものであった。
【０００３】
【発明が解決しようとする課題】
従来の陳列台は、片方の面しか折り込まれていないので強度的に弱いと共に、片手しか引掛ける事ができないので持ち運びに不便であり、背フラップを差し込んだ箇所から外側に食み出すので見た目が良くないなどの問題点があった。本発明では、前記従来技術の問題解決を目的とする。
【０００４】
【課題を解決するための手段】
四角筒の対面する面の下部を内側に折り込んで形成した折込板によって、床板を下から支えて補強し、折込板の窪みによって両手の指の引掛ける場所を形成する。
【０００５】
【発明の実施の形態】
本発明物は、厚紙或いは段ボール紙を素材に用いて製造し、正面背面(前後)上下(天地)左右などの位置関係は組立完了状態で正面からを基準にして表示し、山折谷折で記述する折曲げ方向は外側からを基準にして表示する。
【０００６】
床板開け状態正面斜視図の図１に於いて、四角形筒の対面する面は前板３と背板４とであっても良いが、両側で対面する側板５どうしにする事が望ましく、対面する側板５の下部を上部と切り離して、切り離された下部中央を天地に貫く折込線６を谷折する事で折込板１を内側にＶ字折りし、床板２は前板３の上縁から山折線を介して延設して良いのであるが、前板３の上縁に延設して袋折する前内沿い板７を介して床板２を延設する事が望ましく、折込線６は折線形状である事が望ましいのであるが、切り離しても良く、切り離された場合、縁どうしには凹凸が相反して形成されて、前記の凹凸を噛合せる事で縁どうしを繋ぎ合わせる構造と成り、組み立て順序を説明するならば、側板５の天縁に山折線を介して延設した側内沿い板８の先縁に谷折線を介して延設した敷片９を、折り込まれた折込板１の上縁に乗せて側内沿い板８を袋折し、前内沿い板７を袋折して敷き片９の上に床板２を重ね、床板２は補強する為に二重構造であっても良く、背縁にフラップを延設して折下げても良く、背板４の天縁に山折線を介して延設した背内沿い板１０を袋折する事で床板２の背縁は押さえ付けられて固定し、背内沿い板１０の袋折固定は従来技術を用いるのであって、両側縁を側内沿い板８の背縁にハメ込んでも良く、背内沿い板１０の先縁を部分的に板の厚み分突出させた凸縁を、床板２の先縁を部分的に窪ませた凹縁にハメ込んで固定しても良い。
【０００７】
組立完了正面斜視図の図２に於いて、床板２の下面は折込板１の折り込みによって支えられ、床板２の背端は袋折された背内沿い板１０の下縁で押さえ付けられて固定し、前板３・背板４・面対象で有する側板５の天縁は内側に袋折され、前記袋折箇所は額縁折（厚みのある板を折り曲げる場合、少なくても板の厚み幅を開けた二本の山折線を入れて折り曲げる構造）にする事が望ましい。
【０００８】
組立完了背面斜視図の図３に於いて、前内沿い板７は床板２に乗せられた商品が正面から零れ落ちるのを塞き止める働きを果たし、床板２の背部は背板４に差し込まれて固定されていないので、背面４は一枚の面と成っているので見栄えを良くし、折込板１は床板２を下から支える働きの他、折込線６の箇所で窪んでいるので側板５の下部に指を引掛けて持上げ易くなる。
【０００９】
正面を図下に表示した組立完了底面斜視図の図４に於いて、床板２の下面は内側に折り込まれた折込板１によって支えられているが、床板２と折込板１との間に敷き片９が挟み込まれている事によって、床板２に圧し掛かる重みが敷き片９と繋がっている側板５でも支えられているので折込板１だけで支えるよりも強度的に強くなり、又、側板５の下部に指を引掛けて持ち上げる場合に於いても、敷き片９が支えと成って床板２の持ち上がりを防止する。
【００１０】
【発明の効果】
両側から折込板１を折り込んで床板の下面を支えているので強度的に強くなり、床板の背部を背板に差し込んでいないので背部からの見栄えを良くし、折込板が折り込まれている事で側板の下部に指を引掛けて持上げ易くなり、敷き片９が挟み込まれている事で、折込板に圧し掛かる重みを分散でき強度的に向上させる事ができる。
【図面の簡単な説明】
【図１】床板開け状態正面斜視図
【図２】組立完了正面斜視図
【図３】組立完了背面斜視図
【図４】正面を図下に表示した組立完了底面斜視図
【符号の説明】
１  折込板
２  床板
【図１】
0004850991.tif 000002
【図２】
0004850991.tif 000003
【図３】
0004850991.tif 000004
【図４】
0004850991.tif 000005
(57)【特許請求の範囲】
【請求項１】
ＬＡＮまたはＷＡＮに接続したサーバとクライアントと、クライアント側に設置したタイムレコーダとからなり、
タイムレコーダは、一月或いは一週間等の所定期間内勤務時間情報の記録機能とクライアントとの通信機能を持ち、
クライアントは、クライアントまたはサーバに登録されているＩＤ及び勤務条件等の個人情報とタイムカードナンバー情報とをリンクさせる機能を持ち、
タイムレコーダは当月のタイムカード発行時にタイムレコーダからクライアントへタイムカードナンバー情報を発信し、
クライアントでタイムカードナンバー情報と個人情報とをリンクさせ、
勤務時間情報集計の際はクライアントにてタイムレコーダに保存されている勤務時間情報を読出し、
読出した勤務時間情報にそのタイムカードナンバー情報にリンクしている個人情報を付加してサーバに登録するように構成したタイムレコーダネットワークシステム。
【発明の詳細な説明】
【０００１】
【発明の属する技術分野】
この発明は、タイムレコーダネットワークシステムに関するものであり、特に情報通信ネットワークを用いて勤務時間情報を集中管理できるようにしたタイムレコーダネットワークシステムに関するものである。
【０００２】
【従来の技術及び発明が解決しようとする課題】
従来、会社等の組織において従業者各人の勤務時間情報の記録には、個人別タイムカードに出勤及び退勤の時刻を印字するタイムレコーダが用いられている。近年は時刻印字機能に加えて時間記録及び集計機能を備えた電子式タイムレコーダも提供されているが、いずれにしても多数のタイムレコーダを使用する企業においては全体的な勤務時間情報の収集に手間がかかり、特に、各地に事業所が分散している企業においては一箇所で全体の情報を集中処理することが困難である。
【０００３】
また、インターネットやLANを用いて事務処理センター等で一括処理を行うシステムを構築する場合は、各事業所にてクライアントコンピュータへ個人毎の時間情報を入力してサーバに送信することになり、キーボードによる文字入力に相応の手間がかかる。
【０００４】
一方、タイムレコーダ自体を通信ネットワークへ直接接続してタイムレコーダネットワークシステムを構築することが考えられるが、この場合はタイムレコーダにLANボードまたはモデム等の通信制御装置や通信制御プログラムに加えて個人別のID情報を入力するためのキーボードや大容量のメモリを付加しなければならず、高価格且つ大型化して実用的ではない。
【０００５】
そこで、タイムレコーダの構成を複雑化することなく、情報通信ネットワークを通じてタイムレコーダの情報をサーバ側で集中処理できるようにするために解決すべき技術的課題が生じてくるのであり、本発明は上記課題を解決することを目的とする。
【０００６】
この発明は、上記目的を達成するために提案するものであり、ＬＡＮまたはＷＡＮに接続したサーバとクライアントと、クライアント側に設置したタイムレコーダとからなり、
タイムレコーダは、一月或いは一週間等の所定期間内勤務時間情報の記録機能とクライアントとの通信機能を持ち、
クライアントは、クライアントまたはサーバに登録されているＩＤ及び勤務条件等の個人情報とタイムカードナンバー情報とをリンクさせる機能を持ち、
タイムレコーダは当月のタイムカード発行時にタイムレコーダからクライアントへタイムカードナンバー情報を発信し、
クライアントでタイムカードナンバー情報と個人情報とをリンクさせ、
勤務時間情報集計の際はクライアントにてタイムレコーダに保存されている勤務時間情報を読出し、
読出した勤務時間情報にそのタイムカードナンバー情報にリンクしている個人情報を付加してサーバに登録するように構成したタイムレコーダネットワークシステムを提供するものである。
【０００７】
【発明の実施の形態】
以下、この発明の実施の一形態を図に従って詳述する。図１において1はインタ−ネット、2はWebサーバ、3はWebクライアント、4はタイムレコーダであり、5はタイムカードである。事務処理センター等に設置されたWebサーバ2と各地の事業所に設置されたWebクライアント3はインタ−ネット1を介して接続されている。
【０００８】
タイムレコーダ4は、従来の電子式タイムレコーダと同様に、差込まれたタイムカード5のナンバーを読取って一月分のナンバー別勤務時間情報を記録するタイムレコーダ機能と外部のコンピュータやデータロガー等との通信機能を備えていて、蓄積された時間情報は任意の時期にWebクライアント3を用いて読み出すことができる。
【０００９】
Webクライアント3には、Webクライアント3またはWebサーバ2に登録されている個人情報（会社名、組織名、個人名、就業時間形態やその他のID情報）にタイムカードナンバーをリンクさせるタイムカード管理用のアプリケーションプログラムが格納されている。
【００１０】
タイムレコーダ4は、月初めのカード発行時に通信機能によりWebクライアント3へ全てのタイムカードナンバー情報を発信し、Webクライアント3のオペレータは、Webクライアント3の画面を見ながらタイムレコーダ4から読み込まれたタイムカードナンバー情報と既登録の個人情報をリンクさせる。これにより、当月の全てのタイムカードナンバーと各従業者とが個別に関連付けられる。また、新入社員などのように既登録の個人情報中に該当するものがない場合は、オペレータがWebクライアント3へ個人情報を新規入力し、その個人情報とタイムカードナンバーとリンクさせる。尚、個人情報はWebクライアント3に保存する以外に、Webサーバ2に一括保存してその都度Webクライアント3が読出すようにしてもよい。
【００１１】
一月の勤務時間情報を集計するとき、または現在までの勤務時間情報をみるときは、Webクライアント3にてタイムレコーダに保存されている勤務時間情報を読出すと、タイムカードナンバー毎の勤務時間情報にそのタイムカードナンバーに関連付けられている個人情報が合わせて表示され、その内容をWebサーバ2に送信すれば、個人情報と勤務時間情報とがリンクした情報がWebサーバ2に登録される。
【００１２】
尚、この発明は上記の実施形態に限定するものではなく、この発明の技術的範囲内において種々の改変が可能であり、この発明がそれらの改変されたものに及ぶことは当然である。
【００１３】
【発明の効果】
以上説明したように、本発明のタイムレコーダネットワークシステムは、LANまたはWANに接続したクライアントにタイムカードナンバーと個人情報をリンクさせる機能を持たせ、クライアントはタイムレコーダに記録されている勤務時間情報を読出してタイムカードナンバー毎の勤務時間情報と個人情報とをリンクさせてサーバへ送信する。これにより、タイムレコーダにはネットワークへの接続装置及び通信機能や個人情報を設定するためのキーボードや大容量のメモリは不要であるので、従来の電子式タイムレコーダの機能を利用してタイムレコーダの情報の中央集中処理が可能なネットワークシステムを構築できる。
【図面の簡単な説明】
【図１】本発明のタイムレコーダネットワークシステムの構成図。
【符号の説明】
1      インターネット
2      Webサーバ
3      Webクライアント
4      タイムレコーダ
5      タイムカード
【図１】
0005082169.tif 000002